(57)【要約】【課題】火災報知機を内蔵し、かつ、照明器具を容易に脱着可能な照明器具取付け具を提供する。【解決手段】本体ケース１と、本体ケース１の上面に設けられ、天井に設けられているローゼットに係止・係止解除可能な係止金具２と、本体ケース１の側面対向位置に設けられ、天井面と平行に往復移動可能な可動片３と、温度センサ及びその検知結果に基づいて音を発するブザー８を備えた火災報知部５と、可動片３を本体ケース１の外側に向けて常時付勢するバネ７とを有し、可動片３は、照明器具が天井に向けて押し上げられると、該照明器具の係止受部の縁によって押圧されて本体ケース１の内側に後退し、係止受部の縁が通過すると、バネ７の付勢によって自動的に元の位置に復帰して係止受部に係止する。【選択図】図１
2007193975.tif 000002
【特許請求の範囲】
【請求項１】
天井に照明器具を取り付けるための照明器具取付け具であって、
本体ケースと、
前記本体ケースの上面に設けられ、前記天井に設けられているローゼットに係止・係止解除可能な係止金具と、
前記本体ケースの側面対向位置に設けられ、天井面と平行に往復移動可能な可動片と、
熱と煙の双方または一方を検知する検知手段と、前記検知手段の検知結果に基づいて音と光の双方または一方を発する報知手段とを備えた火災報知部と、
前記可動片を前記本体ケースの外側に向けて常時付勢する付勢手段と、を有し、
前記可動片は、位置合わせされた照明器具が天井に向けて押し上げられると、該照明器具の背面カバーに設けられている係止受部の縁によって押圧されて、前記付勢手段の付勢に抗して前記本体ケースの内側に後退し、前記係止受部の縁が通過すると、前記付勢手段の付勢によって自動的に元の位置に復帰して前記係止受部に係止する、
照明器具取付け具。
【請求項２】
前記火災報知部が前記検知手段の検知結果に基づいて外部機器に信号を送信する通信手段を有する請求項１記載の照明器具の取付け具。
【請求項３】
前記火災報知部用の予備電源を有する請求項１又は請求項２記載の照明器具取付け具。
【発明の詳細な説明】
【技術分野】
【０００１】
本発明は、天井に照明器具を取り付けるための取付け具に関するものであり、特に、火災報知機能を備えた取付け具に関するものである。
【背景技術】
【０００２】
近年の火災報知機の性能向上によって、１０畳程度の広さの部屋であれば、１つ火災報知機で部屋全体をカバーすることが可能であるが、部屋全体を均一にカバーするためには、部屋の中央であって、かつ、最も高い位置に火災報知機を設置することが望ましい。そして、かかる条件を満たす最適な設置場所は、部屋の天井中央である。しかし、部屋の天井中央には、主照明が設置されていることが多く、火災報知機を天井中央に設置することができない場合が多い。このような場合には、主照明との干渉を避けるために、火災報知機の設置位置をずらす他なく、火災報知機を所望の位置に設置することができなかった。
【０００３】
また、天井には照明用電源以外の電源が設けられていることは極めて稀であり、火災報知機を設置するスペースが確保できたとしても、火災報知機用の電源を確保できないために設置を断念せざるを得ない場合も多い。かかる問題は、火災報知機を天井中央に設置する場合のみでなく、天井の如何なる位置に設置する場合にも発生する共通の問題である。
【０００４】
そこで、特許文献１によって、天井に固定された係止溝付コンセントと、吊り下げられる照明器具に設けられている係止片形状の差し込みのコンセントとの間に介装されるホームセキュリティ装置が提案されている。
【特許文献１】特開２００１−２５０１８２号公報（[００１１]、図１）
【発明の開示】
【発明が解決しようとする課題】
【０００５】
しかし、特許文献１に開示されているホームセキュリティ装置では、該装置に設けられている係止溝に合致する係止片形状のコンセントを備えた照明器具にしか対応することができない。従来は、かかる係止片形状のコンセントを備えた照明器具が多く見られたが、最近の照明器具の多くは、かかるコンセントを備えていない。特に、近年一般化しているシーリング型の照明器具の殆どは、上記係止片形状のコンセントを備えていない。
【０００６】
また、特許文献１に開示されているホームセキュリティ装置を介して照明器具を取り付ける際には、上記係止溝に照明器具側のコンセントを差込み、さらに、差し込まれたコンセントを回動させなければ係止が完了しない。また、照明器具を取り外す際には、上記係止溝に係止している照明器具側のコンセントを上記とは逆方向に回動させて、両者の係止を解除しなければならない。この結果、照明器具の脱着に手間と時間を要する。
【０００７】
本発明は上記課題に鑑みてなされたものであって、その目的は、上記課題の少なくとも１つを解決することにある。
【課題を解決するための手段】
【０００８】
本発明の照明器具取付け具は、天井に照明器具を取り付けるための照明器具取付け具であって、本体ケースと、前記本体ケースの上面に設けられ、天井に設けられているローゼットに係止・係止解除可能な係止金具と、前記本体ケースの側面対向位置に設けられ、天井面と平行に往復移動可能な可動片と、熱と煙の双方または一方を検知する検知手段及び検知手段の検知結果に基づいて音と光の双方または一方を発する報知手段を備えた火災報知部と、前記可動片を前記本体ケースの外側に向けて常時付勢する付勢手段とを有し、前記可動片は、位置合わせされた照明器具が天井に向けて押し上げられると、該照明器具の背面カバーに設けられている係止受部の縁によって押圧されて、前記付勢手段の付勢に抗して前記本体ケースの内側に後退し、前記係止受部の縁が通過すると、前記付勢手段の付勢によって自動的に元の位置に復帰して前記係止受部に係止することを特徴とする。
【０００９】
前記火災報知部には、前記検知手段の検知結果に基づいて外部機器に信号を送信する通信手段を設けることもできる。また、前記火災報知部用の予備電源を前記本体ケース内に予め備えることもできる。
【発明の効果】
【００１０】
本発明の照明器具取付け具を用いれば、天井中央に照明器具と火災報知機の双方を設置することができ、火災報知機用の電源を別途確保する必要もない。さらに、本発明の照明器具取付け具は、照明器具を押し上げるだけで、該照明器具に自動的に係止する可動片を備えているので、係止片形状のコンセントなどを備えていない照明器具であっても取り付けることができるのみでなく、かかる照明器具を極めて容易に脱着することが可能である。
【発明を実施するための最良の形態】
【００１１】
以下、本発明の照明器具取付け具の実施形態の一例について説明する。本例の照明器具取付け具は、図１に示すように、合成樹脂製の本体ケース１に、係止金具２、可動片３、電源コネクタ４および火災報知部５が設けられたものである。
【００１２】
係止金具２は、本体ケース１の上面に突設され、天井面に予め設けられている不図示のローゼットに係止及び係止解除な一対の係止爪２a、２bからなる。具体的には、一対の係止爪２a、２bをローゼット底面に形成された一対の係止溝の端部にそれぞれ嵌合させた上で、本体ケース１を所定方向に所定量だけ回動させると、係止爪２a、２bが係止溝に係止し、本体ケース１がローゼットに固定される。一方、本体ケース１を逆方向に回動させて、係止爪２a、２bを係止溝の端部まで戻すと、係止爪２a、２bと係止溝との係止が解除され、本体ケース１はローゼットから離脱可能となる。ここで、ローゼットの係止溝の内面には、商用電源に接続された電源端子が配備されており、係止爪２a、２bを係止溝に係止させると、係止爪２a、２bと電源端子とが物理的に接触し、係止爪２a、２bが商用電源に接続される。さらに、係止爪２a、２bは主配線６を介して電源コネクタ４に接続されており、該主配線６を介して電源コネクタ４に電力が供給される。
【００１３】
２つの可動片３は、本体ケース下部の対向位置に設けられ、バネ７によって常時外側に向けて付勢されている。よって、図２（ａ）に示すように、照明器具３０の背面カバー３１に開口された係止受部３２の縁をそれぞれの可動片３の案内面３aに宛がった状態で照明器具３０を押し上げると、それぞれの可動片３が本体ケース１の内側に向けて押圧され、バネ７の付勢に抗して本体ケース１の内側に後退する。照明器具３０がさらに押し上げられ、係止受部３２の縁が可動片３の案内面３aに沿って上昇し、該可動片３の先端を通過すると、可動片３はバネ７の付勢によって自動的に元の位置に復帰する。すると、図２（ｂ）に示すように、可動片３の上面３bが係止受部３２の周囲にその下方から係止し、照明器具３０が保持される（照明器具３０が当該照明器具取付け具にぶら下げられる）。すなわち、ローゼット４０に固定された当該照明器具取付け具の可動片３、３と照明器具３０の背面カバー３１に設けられた係止受部３２とを位置合わせした上で、照明器具３０を押し上げるだけで、照明器具３０を部屋の天井に取り付けることができる。ここで、可動片３の案内面３aが図示されているようなテーパ面となっているので、係止受部３２の縁が可動片３の案内面３aに宛がわれた照明器具３０を押し上げる際、係止受部３２の縁は案内面３aに沿ってスムーズに上昇する。尚、当該照明器具取付け具によって天井に取り付けられた照明器具３０への電力供給は、図１に示されている電源コネクタ４を照明器具３０に備え付けられているプラグ（不図示）に接続することによって実現される。また、照明器具３０のプラグを介して該照明器具３０に装着された蛍光灯や電球等に電力が供給されることは勿論である。
【００１４】
再び図１を参照する。火災報知部５は、所定温度以上の熱を検知すると検知信号を出力する不図示の検知手段（本例では、温度センサ）と、温度センサから出力された検知信号が入力されると音を発する報知手段（本例では、ブザー８）とを有する。これら温度センサ及びブザー８は単一のユニットを構成している。さらに、火災報知部５は、係止爪２a、２bと副配線９を介して接続されており、副配線９を介して電力が供給されている。図３に、配線ブロック図を示す。
【００１５】
もっとも、火災報知部５の検知手段は、煙を検知して検知信号を出力する煙センサに替えることもできる。また、熱と煙の双方を検知して検知信号を出力する熱煙センサに替えることもできる。また、報知手段を蛍光ランプ、電球、ＬＥＤ等とし、光によって異常を報知する構成とすることもできる。ここで、熱煙センサとは、熱センサと煙センサとが一体化されたものであってもよく、別体の熱センサと煙センサとから構成されたものであってもよい。
【００１６】
非常事態に備えて、火災報知部５の予備電源を本体ケース１内に備えることもできる。また、火災報知部５には、任意の外部機器に信号を送信する通信手段を設けることもできる。例えば、検知手段の検知結果に基づいて所定の信号を生成する信号生成部と、信号生成部によって生成された信号を有線または無線で送信する信号送信部とからなる通信手段を設けることができる。かかる通信手段を設けることによって、検知手段の検知結果に基づいて所定の外部機器に信号を送信し、該機器に異常を報知させることもできる。
【００１７】
さらに、図４に示すように、室内で発生した熱や煙が検知手段によって早期、かつ、確実に検知されるように、本体ケース１の側面にスリット１０を形成することができる。また、本体ケース１の側面にはブザー８（図１）の発した音を本体ケース１の外部に放出するためのブザー音放出穴１１を形成することもできる。もっとも、スリット１０やブザー音放出穴１１は、本体ケース１の上面や下面に形成することも可能である。
【図面の簡単な説明】
【００１８】
【図１】本発明の照明器具取付け具の実施形態の一例を示す模式的断面図である。
【図２】図１の照明器具取付け具を用いた照明器具の取付け手順を示す模式図である。
【図３】図１の照明器具取付け具における配線ブロック図である。
【図４】図１の照明器具取付け具の一変形例を示す模式図である。
【符号の説明】
【００１９】
１  本体ケース
２  係止金具
２a、２b  係止爪
３  可動片
３a  案内面
３b  上面
４  電源コネクタ
５  火災報知部
６  主配線
７  バネ
８  ブザー
９  副配線
１０  スリット
１１  ブザー音放出穴
３０  照明器具
３１  背面カバー
３２  係止受部
【図１】
2007193975.tif 000003
【図２】
2007193975.tif 000004
【図３】
2007193975.tif 000005
【図４】
2007193975.tif 000006